(57)【要約】【課題】      ビル等の屋上緑化に用いる屋上緑化プランターにおいて、植栽の維持管理を簡単にできるようにする。【解決手段】  屋上緑化プランターは、植物を植栽するプランター本体１０と、プランター本体１０の上面に設けられ、プランター本体１０の上面より大きい面積を有する網状パネル体２０とを有する。網状パネル体２０は、上面網目パネル２１と平行に配置された下面網目パネル２２と、これら上面網目パネル２１と下面網目パネル２２とを連結する斜めに配置された連結線材２３とで形成されている。上面網目パネル２１は手が入る大きさに形成されている。下面網目パネル２２は植物の葉が落ちない大きさに形成されている。【選択図】    図２
2008237177.tif 000002
【特許請求の範囲】
【請求項１】
植物を植栽するプランター本体と、該プランター本体の上面に設けられ、プランター本体の上面より大きい面積を有する網状パネル体とを有するプランターであって、該網状パネル体は、上面における網目が手の入る大きさに形成されるとともに、下面における網目が植栽する植物の葉が網目から落ちない大きさに形成されていることを特徴とする屋上緑化プランター。
【請求項２】
前記網状パネル体の上面における網目が、７０〜２００ｍｍであることを特徴とする請求項１記載の屋上緑化プランター。
【請求項３】
前記網状パネル体の下面における網目が、３０〜５０ｍｍであることを特徴とする請求項１又は２記載の屋上緑化プランター。
【請求項４】
前記網状パネル体が、上面網目パネルと、下面網目パネルと、該上面網目パネルと下面網目パネルとを連結する連結線材とを有することを特徴とする請求項１、２又は３記載の屋上緑化プランター。
【請求項５】
前記網状パネル体が、所定間隔で平行に配置されるとともに、その長手方向に所定間隔で上方に突出した突出部が形成された折曲線材と、該折曲線材間を所定間隔で連結した連結線材とを有し、該折曲線材の非突出部と連結線材とで網状パネル体の下面の網目を形成するとともに、折曲線材の突出部上端と連結線材とで網状パネル体の上面の網目を形成することを特徴とする請求項１、２又は３記載の屋上緑化プランター。
【発明の詳細な説明】
【技術分野】
【０００１】
本発明は、ビル等の屋上緑化に適したプランターに関し、更に詳しくは、植栽の維持管理が簡単な屋上緑化プランターに関するものである。
【０００２】
本発明は、
【背景技術】
【０００３】
近年、ヒートアイランド現象の緩和、大気中の二酸化炭素の削減、建物の省エネルギー及び人への癒し効果等の観点から、ビル等の屋上床面を植物で覆い隠す屋上緑化が進められている。
【０００４】
従来、屋上緑化の方法としては、建物の屋上をパーゴラ等の棚で覆い、このパーゴラの下にプランターを設置し、プランターに植栽したつる植物の枝葉をパーゴラに誘引する屋上緑化方法が提案されている（特許文献１参照）。また、屋上緑化の方法ではないが、プランターにネットを取り付け、このネットにプランターに植栽したつる植物を誘引する緑化方法が提案されている（特許文献２参照）。
【０００５】
しかしながら、特許文献１で提案された屋上緑化方法は、つる植物をパーゴラに誘引して緑化するものであるので、屋上が緑化されるまでに長期間を要するものであり、また、特許文献２で提案された緑化方法は、垂直面への緑化は可能であるが水平面への緑化をすることができず、屋上緑化方法としては採用できるものではなかった。
【０００６】
そこで、本出願人は、上述した従来の屋上緑化方法の問題点を解消するために鋭意検討し、プランター本体の上面よりも大きい面積を有する網状パネル体を、プランター本体の上面に設けたプランターを提案した（特許文献３参照）。このプランターによれば、つる植物が網状パネル体に沿って成長するので、短期間で屋上緑化を図れ、極めて好ましいものであった。
【０００７】
【特許文献１】特開平９−１４０２５２号公報
【特許文献２】特開平７−３９３６６号公報
【特許文献３】特開２００５−１７６８２７号公報
【発明の開示】
【発明が解決しようとする課題】
【０００８】
ところで、上述した特許文献３で提案されたプランターは、網状パネル体が、上面の網目パネルと下面の網目パネルとの二層構成となっており、これら上下の網目パネルの間でつる植物を成長させるようになっている。したがって、上面の網目パネルの網目の大きさが小さいと、上面の網目パネルから手を入れることが困難であるので、つる植物の枯葉等を除去する作業が面倒であった。また、下面の網目パネルの網目の大きさが大きいと、枯葉等が網目を通り抜けて床面に落下し、床面から枯葉を除去する作業が必要となるものであった。以上のように、従来のプランターにおいては、植栽の維持管理が面倒なものであった。
【０００９】
本発明は、以上の問題点を解決し、上面及び下面における網目の大きさを適切に設定することにより、植栽の維持管理が簡単にできる屋上緑化プランターを提供することを目的とする。
【課題を解決するための手段】
【００１０】
請求項１に係る屋上緑化プランターは、植物を植栽するプランター本体と、該プランター本体の上面に設けられ、プランター本体の上面より大きい面積を有する網状パネル体とを有するプランターであって、該網状パネル体は、上面における網目が手の入る大きさに形成されるとともに、下面における網目が植栽する植物の葉が網目から落ちない大きさに形成されていることを特徴として構成されている。
【００１１】
請求項２に係る屋上緑化プランターは、前記請求項１記載の屋上緑化プランターにおいて、前記網状パネル体の上面における網目が、７０〜２００ｍｍであることを特徴として構成されている。
【００１２】
請求項３に係る屋上緑化プランターは、前記請求１又は２記載の屋上緑化プランターにおいて、前記網状パネル体の下面における網目が、３０〜５０ｍｍであることを特徴として構成されている。
【００１３】
請求項４に係る屋上緑化プランターは、請求項１、２又は３記載の屋上緑化プランターにおいて、前記網状パネル体が、上面網目パネルと、下面網目パネルと、該上面網目パネルと下面網目パネルとを連結する連結線材とを有することを特徴として構成されている。
【００１４】
請求項５に係る屋上緑化プランターは、請求項１、２又は３記載の屋上緑化プランターにおいて、前記網状パネル体が、所定間隔で平行に配置されるとともに、その長手方向に所定間隔で上方に突出した突出部が形成された折曲線材と、該折曲線材間を所定間隔で連結した連結線材とを有し、該折曲線材の非突出部と連結線材とで網状パネル体の下面の網目を形成するとともに、折曲線材の突出部上端と連結線材とで網状パネル体の上面の網目を形成することを特徴として構成されている。
【発明の効果】
【００１５】
請求項１に係る屋上緑化プランターによれば、網状パネル体の上面における網目が手の入る大きさに形成されているので、網状パネル体の内部に容易に手を入れることができ、枯葉の除去作業等の維持管理が簡単にできる。また、下面における網目が植栽する植物の葉が網目から落ちない大きさに形成されているので、枯葉等が網状パネル体から落下することがなく、床面から枯葉等を除去する作業が必要でない。
【００１６】
請求項２に係る屋上緑化プランターによれば、網状パネル体の上面における網目が少なくとも７０ｍｍあるので、成人男性であっても容易に手を入れることができ、また大きくとも２００ｍｍであるので、網状パネル体に十分な強度を保持させることができる。
【００１７】
請求項３に係る屋上緑化プランターによれば、網状パネル体の下面における網目が大きくとも５０ｍｍであるので、植物によって異なるが略全ての植物の枯葉の落下を防止することができ、また少なくとも３０ｍｍであるので、風の吹き上げに対する抵抗を小さくすることができる。
【００１８】
請求項４に係る屋上緑化プランターによれば、網状パネル体が、上面網目パネルと、下面網目パネルと、該上面網目パネルと下面網目パネルとを連結する連結線材とを有しているので、簡単かつ剛性のある構造で、上面及び下面における網目を所望の大きさに形成することができる。
【００１９】
請求項５に係る屋上緑化プランターによれば、網状パネル体が、所定間隔で平行に配置されるとともに、その長手方向に所定間隔で上方に突出した突出部が形成された折曲線材と、該折曲線材間を所定間隔で連結した連結線材とを有し、該折曲線材の非突出部と連結線材とで網状パネルの下面の網目を形成するとともに、折曲線材の突出部上端と連結線材とで網状パネルの上面の網目を形成するので、１枚の網目パネルによって網状パネル体が形成でき、より簡単で安価かつ軽量化できる構造で、上面及び下面における網目を所望の大きさに形成することができる。
【発明を実施するための最良の形態】
【００２０】
本発明において、網状パネル体は、上面における網目が手の入る大きさに形成されるとともに、下面における網目が植栽する植物の葉が網目から落ちない大きさに形成されている。前記手の入る大きさとは、個人差もあるが成人男性が手を入れ落葉の除去作業等ができる程度の大きさであり、７０ｍｍ以上が好ましく、１００ｍｍ以上がより好ましい。７０ｍｍ以上あれば、通常の成人男性であれば簡単に作業ができる。また、網状パネル体の強度を維持することから、２００ｍｍ以下が好ましく、１５０ｍｍ以下がより好ましい。
【００２１】
前記植栽する植物の葉が網目から落ちない大きさとは、植物の種類によって異なるが、枯葉等が網目を通り抜けない程度の大きさであり、５０ｍｍ以下に形成すべきである。５０ｍｍ以下であれば、通常植栽する植物の枯葉等が通り抜けて床面に落下することがない。また、台風等において風の吹上が強い場合、網状パネル体に掛かる風圧によりプランターがズレたり転倒しないように、３０ｍｍ以上に形成すべきである。
【００２２】
上面及び下面における網目の形状は、特に限定されるものでなく、正方形、長方形、三角形等の他、四辺が区画されず平行になっている形状（両端が無い長方形状）も含むものである。また、網目の大きさは、上面においては、正方形状の場合は一辺の長さ、長方形状の場合は短辺の長さ、三角形状の場合は頂点の底辺までの長さであり、下面においては、正方形状の場合は同様に一辺の長さ、長方形状の場合は長辺の長さ、三角形状の場合は同様に頂点の底辺までの長さを測定するものである。
【００２３】
以上のような網状パネル体は、上面及び下面の網目が上述した所定の範囲に形成されていれば特に限定されず、二枚の網目パネルを所定間隔で連結した所謂二重金網で形成しても、一枚の網目パネルを所定間隔で折曲して突出部を形成することにより上面及び下面を形成してもよい。二枚の網目パネルを用いた場合は、例えば、上面網目パネルと、下面網目パネルと、該上面網目パネルと下面網目パネルとを連結する連結線材とで構成し、一枚の網目パネルの場合は、例えば、所定間隔で平行に配置されるとともに、その長手方向に所定間隔で上方に突出した突出部が形成された折曲線材と、該折曲線材間を所定間隔で連結した連結線材とを有し、該折曲線材の非突出部と連結線材とで網状パネルの下面の網目を形成するとともに、折曲線材の突出部上端と連結線材とで網状パネルの上面の網目を形成することにより構成してもよい。前記二枚の網目パネルを用いた場合は剛性を大きくすることができ、また、一枚の網目パネルを用いた場合は安価かつ軽量化を図ることができる。
【００２４】
プランター本体は、土壌が充填されて植栽されるもので、その材質は、表面に塗装が施されたＧＲＣ（ガラス繊維強化軽量コンクリート）、ＦＲＰ等の樹脂を採用することができ、またその形状は、断面が円形状、正方形状、長方形状、多角形状等の筒状体等の各種形状を採用することができる。
【００２５】
プランター本体に充填する土壌は、屋上に設置するために軽量であり、かつ水やりを長期間不要とするために高い保水性を維持できるものが好ましく、また、植物をプランター本体に植え込み後、植物（特に、つる植物のつる）の育成を早めるために最適な有機系肥料を配合することが好ましい。例えば、パーライト（保水、軽量）、バーミキュライト（保水、軽量、保肥）、ピートモス（保水、保肥）、苦土（肥料）、腐植（肥料）を用い、これらの複数種類を所定の割合で配合した土壌を用いる。
【００２６】
プランター本体に植栽する植物としては、横方向に誘引できる植物や横方向に成長する植物であり、例えば、ヘデラ・カナリエンシス、ヘデラ・ヘリックス、スイカズラ、テイカカズラ等のつる植物がある
次に、本発明による屋上緑化プランターの第１実施形態を図面を参照して説明する。
【００２７】
図１は屋上緑化プランターの平面図、図２は屋上緑化プランターの正面図、図３は屋上緑化プランターにおける網状パネル体の一部の斜視図、図４は同上平面図、図５は同上正面図、図６は同上右側面図、図７は同上底面図、図８は図５中Ａ−Ａ線断面図、図９は図５中Ｂ−Ｂ線断面図、図１０は同上使用状態を示す右側面図である。
【００２８】
図１及び図２において、１０は土壌が充填されて植栽されるプランター本体で、表面に塗装を施した軽量コンクリートによって円筒状に一体成形されている。２０はプランター本体１０に植栽されたつる植物のつる等を誘引する網状パネル体で、緑色の塗装が施された金属線材で平面視正方形状に形成されている。この網状パネル体２０は、プランター本体１０の上面において略水平方向に設けられており、プランター本体１０の直径が８００ｍｍで、網状パネル体２０の一辺が１８００ｍｍとなって、網状パネル体２０の面積がプランター本体１０の上面の面積より大きくなっているので、網状パネル体２０がプランター本体１０から周縁方向に突出した状態となっている。
【００２９】
プランター本体１０は、その外側面の４箇所に略Ｌ字状の取付け金具１１の垂直面部が取付けられ、この取付け金具１１の垂直面部の下端部と水平面部の先端部の間に設けられ、斜め上方に立ち上がるように丸パイプ状の補強金具１２が固定されている。そして、この取付け金具１１の水平面部に前記網状パネル体２０が固定されている。すなわち、取付け金具１１の水平面部の先端には、上方に位置する押えブラケット１３と、その下方に位置する取付け台座１４とが設けられ、押えブラケット１３に形成された十字状の凹部１３ａ内に網状パネル体２０の線材を配置するとともに、押えブラケット１３を取付け台座１４に螺子止めしている。
【００３０】
網状パネル体２０は、図３〜図９に示すように、上面網目パネル２１と、この上面網目パネル２１と平行に配置された下面網目パネル２２と、これら上面網目パネル２１と下面網目パネル２２とを連結する斜めに配置された連結線材２３とで形成されており、所謂二重金網構造となっている。
【００３１】
上面網目パネル２１は金属線材を縦横に連結して正方形の格子状に形成されており、また、下面網目パネル２２も同様に金属線材を縦横に連結して正方形の格子状に形成されており、上面網目パネル２１は、その網目２１ａが網目２１ａに手が入る大きさに形成されるとともに、下面網目パネル２２は、その網目２２ａが網目２２ａから植物の葉が落ちない大きさに形成されている。すなわち、上面網目パネル２１は、網目２１ａの一辺の長さａが１００ｍｍとなるように形成されるとともに、下面網目パネル２２は、網目２２ａの一辺の長さｂが５０ｍｍとなるように形成されており、網目２１ａは網目２２ａの４倍の面積を有するものである。また、上面網目パネル２１と下面網目パネル２２との間隔ｃは、７５ｍｍとなっている。
【００３２】
以上のような屋上緑化プランターにおいては、網状パネル体２０の上面網目パネル２１の網目２１ａが手の入る大きさに形成されているので、図１０に示すように、上面網目パネル２１の上方から網目２１ａを通って手３０を挿入できるので、植栽したつる植物４０の枯葉取り等の各種手入れを簡単に行うことができる。また、下面網目パネル２２の網目２２ａは植物の葉が落下しない大きさに形成されているので、枯葉等が網状パネル体２０から落下するのを防止することができ、床掃除等の管理作業を省くことができる。
【００３３】
なお、ビル等の屋上を緑化するに当たっては、予めつる植物を育成しておいた複数の屋上緑化プランターを隙間無く連接することにより、網状パネル体２０に絡まったつる植物４０によって、広大な面積の屋上緑化を行うことができる。
【００３４】
本発明による屋上緑化プランターの第２実施形態を図面を参照して説明する。図１１は屋上緑化プランターにおける網状パネル体の一部の平面図、図１２は同上正面図である。
【００３５】
図１１及び図１２において、網状パネル体５０は、一枚の網目パネル５１を所定間隔で折曲して形成したものである。すなわち、金属線材が所定間隔で逆Ｖ字状に折曲された折曲線材５２が所定間隔で複数本平行に配置されるとともに、これらの折曲線材５２間が所定間隔で複数本平行に配置された連結線材５３で連結されており、折曲線材５２の非突出部５２ａと連結線材５３とで、網状パネル体５０の下面における網目５４が形成されるとともに、折曲線材５２の突出部５２ｂと連結線材５３とで、網状パネル体５０の上面における網目５５が形成されている。そして、上面における網目５５の幅ｄが手の入る大きさに形成されるとともに、下面における網目５４の短辺の長さｅが植物の葉が落ちない大きさに形成されている。
【００３６】
したがって、植栽したつる植物の枯葉取り等の各種手入れを簡単に行うことができるとともに、枯葉等が網状パネル体５０から落下するのを防止することができ、床掃除等の管理作業を省くことができる。また、第１実施形態に比べ、構造が簡単であるので、製造が簡単で、安価かつ軽量化を図ることができる。
【００３７】
本発明による屋上緑化プランターの第３実施形態を図面を参照して説明する。図１３は屋上緑化プランターにおける網状パネル体の一部の平面図、図１４は同上正面図である。
【００３８】
図１３及び図１４に示す網状パネル体６０も一枚の網目パネル６１を所定間隔で折曲して形成したものであり、第２の実施形態とは、折曲線材６２を逆Ｕ字状に折曲し、突出部６２ｂが逆Ｕ字状に形成されている点のみが相違しているものである。したがって、その他の構成である折曲線材６２の非折曲部６２ａ、連結線材６３、下面における網目６４、上面における網目６５は、第２実施形態と同様に構成され、また第２実施形態と同様の作用・効果を奏するものである。
【図面の簡単な説明】
【００３９】
【図１】本発明による屋上緑化プランターの第一実施形態の平面図
【図２】本発明による屋上緑化プランターの第一実施形態の正面図
【図３】本発明による屋上緑化プランターの第一実施形態における網状パネル体の一部の斜視図
【図４】本発明による屋上緑化プランターの第一実施形態における網状パネル体の一部の平面図
【図５】本発明による屋上緑化プランターの第一実施形態における網状パネル体の一部の正面図
【図６】本発明による屋上緑化プランターの第一実施形態における網状パネル体の一部の側面図
【図７】本発明による屋上緑化プランターの第一実施形態における網状パネル体の一部の底面図
【図８】図５中Ａ−Ａ線断面図
【図９】図５中Ｂ−Ｂ線断面図
【図１０】本発明による屋上緑化プランターの第一実施形態における網状パネル体の使用状態を示す右側面図
【図１１】本発明による屋上緑化プランターの第二実施形態における網状パネル体の一部の平面図
【図１２】本発明による屋上緑化プランターの第二実施形態における網状パネル体の一部の正面図
【図１３】本発明による屋上緑化プランターの第三実施形態における網状パネル体の一部の平面図
【図１４】本発明による屋上緑化プランターの第三実施形態における網状パネル体の一部の正面図
【符号の説明】
【００４０】
１０    プランター本体
１１    取付け金具
１２    補強金具
２０    網状パネル体
２１    上面網目パネル
２１ａ  上面における網目
２２    下面網目パネル
２２ａ  下面における網目
３０    手
４０    つる植物
５０    網状パネル体
５２    折曲線材
５３    連結線材
５４    下面における網目
５５    上面における網目
６０  網状パネル体
６２    折曲線材
６３    連結線材
６４    下面における網目
６５    上面における網目
【図１】
2008237177.tif 000003
【図２】
2008237177.tif 000004
【図３】
2008237177.tif 000005
【図４】
2008237177.tif 000006
【図５】
2008237177.tif 000007
【図６】
2008237177.tif 000008
【図７】
2008237177.tif 000009
【図８】
2008237177.tif 000010
【図９】
2008237177.tif 000011
【図１０】
2008237177.tif 000012
【図１１】
2008237177.tif 000013
【図１２】
2008237177.tif 000014
【図１３】
2008237177.tif 000015
【図１４】
2008237177.tif 000016
【手続補正書】
【提出日】平成19年6月14日(2007.6.14)
【手続補正１】
【補正対象書類名】明細書
【補正対象項目名】０００７
【補正方法】変更
【補正の内容】
【０００７】
【特許文献１】特開平９−１４０２５２号公報
【特許文献２】実開平７−３９３６６号公報
【特許文献３】特開２００５−１７６８２７号公報